(57)【要約】      （修正有）【課題】表示対象を複数の表示部に跨がって表示させる場合に、簡単な操作でユーザにとって見易く表示することが可能な情報処理装置、その表示方法及びコンピュータが実行可能なプログラムを提供する。【解決手段】情報処理装置１は、第１の表示部２及び第２の表示部３と、第１の表示部２及び第２の表示部３をお互いが拡張した表示領域を担うように表示の制御を行う制御手段５と、第１の表示部２及び第２の表示部３の少なくとも一方に表示されている画面全体の表示をずらす指示を検出する操作検出手段４と、を備える。制御手段５は、操作検出手段４が指示を検出した場合に、第１の表示部２及び前記第２の表示部３の少なくとも一方の画面全体の表示をずらす制御を行う。【選択図】図１
2017058972.tif 000002
【特許請求の範囲】
【請求項１】
第１の表示部及び第２の表示部と、
前記第１の表示部及び前記第２の表示部をお互いが拡張した表示領域を担うように表示の制御を行う制御手段と、
前記第１の表示部及び前記第２の表示部の少なくとも一方に表示されている画面全体の表示をずらす指示を検出する操作検出手段と、を備え、
前記制御手段は、前記操作検出手段が前記指示を検出した場合に、前記第１の表示部及び前記第２の表示部の少なくとも一方の画面全体の表示をずらす制御を行うことを特徴とする情報処理装置。
【請求項２】
前記制御手段は、前記操作検出手段が前記指示を検出した場合には、前記第１の表示部及び前記第２の表示部の両方の画面全体の表示をずらすことを特徴とする請求項１に情報処理装置。
【請求項３】
前記制御手段は、前記操作検出手段が前記指示を検出した場合には、前記第１の表示部及び前記第２の表示部の一方の画面全体の表示をずらし、前記第１表示部と前記第２表示部間で分断して表示される情報がある場合は、当該分断して表示される情報の全体を、前記表示をずらす側の画面に表示することを特徴とする請求項１に記載の情報処理装置。
【請求項４】
前記第１の表示部及び前記第２の表示部のうちの少なくとも一方は、タッチパネル表示部で構成されており、
前記指示は、前記第１の表示部及び前記第２の表示部の少なくとも一方に対する１本又は複数本の指によるスライド操作であり、
前記画面全体の表示をずらす方向は、前記スライド操作の方向であり、前記画面全体の表示をずらす量は、前記スライド操作の操作に応じた量であることを特徴とする請求項１〜３のいずれか１つに記載の情報処理装置。
【請求項５】
前記制御手段は、前記スライド操作で前記指が前記第１の表示部及び前記第２の表示部の一方に接触している状態では、前記画面全体をずらした状態を維持し、前記指が前記第１の表示部及び前記第２の表示部の一方から離れた場合には、前記画面全体をずらす前の画面表示に戻すことを特徴とする請求項４に記載の情報処理装置。
【請求項６】
さらに、
前記第１の表示部を収納する第１の筐体と、
前記第２の表示部を収納する第２の筐体と、
前記第１の筐体と前記第２の筐体を回転可能に連結するヒンジと、
を備えたことを特徴とする請求項１〜請求項５のいずれか１つに記載の情報処理装置。
【請求項７】
第１の表示部及び第２の表示部をお互いが拡張した表示領域を担うように表示の制御を行う制御工程と、
前記第１の表示部及び前記第２の表示部の少なくとも一方に表示されている画面全体の表示をずらす指示を検出する操作検出工程と、を含み、
前記制御工程では、前記操作検出工程で前記指示を検出した場合に、前記第１の表示部及び前記第２の表示部の少なくとも一方の画面全体の表示をずらす制御を行うことを特徴とする情報処理装置の表示方法。
【請求項８】
情報処理装置に搭載されるプログラムであって、第１の表示部及び第２の表示部をお互いが拡張した表示領域を担うように表示の制御を行う制御工程と、
前記第１の表示部及び前記第２の表示部の少なくとも一方に表示されている画面全体の表示をずらす指示を検出する操作検出工程と、
をコンピュータに実行させ、
前記制御工程では、前記操作検出工程で前記指示を検出した場合に、前記第１の表示部及び前記第２の表示部の少なくとも一方の画面全体の表示をずらす制御を行うことを特徴とするコンピュータが実行可能なプログラム。
【発明の詳細な説明】
【技術分野】
【０００１】
本発明は、情報処理装置、その表示方法、及びコンピュータが実行可能なプログラムに関する。
【背景技術】
【０００２】
近時の情報処理装置では、２つのタッチディスプレイを備えたものがある（以下、「２画面タイプの情報処理装置」と称する。かかる２画面タイプの情報処理装置では、２つのタッチディスプレイをそれぞれの筐体に収納し、筐体間をヒンジで連結した構成を取るのが一般的である。２画面タイプの情報処理装置では、表示対象の一部を一方の画面として、表示対象の他の一部を他方の画面として表示させて、２つのタッチディスプレイをお互いが拡張した表示領域を担うように表示させることが可能なものもある。２つのタッチディスプレイをお互いが拡張した表示領域を担うように表示させると、表示対象を２つのタッチディスプレイに跨がって表示させることも可能である。
【先行技術文献】
【特許文献】
【０００３】
【特許文献１】特開２０１４−１５１５２４号公報
【発明の概要】
【発明が解決しようとする課題】
【０００４】
しかしながら、２画面タイプの情報処理装置における２つのタッチディスプレイが物理的に連続せず筐体等で分離されていると、表示対象を２つのタッチディスプレイに跨がって表示させる場合には、２つのタッチディスプレイ間で表示対象を構成する文字や画像がタッチディスプレイの間で分断されて表示され、文字や画像が切れてユーザにとって見づらい場合がある。これはタッチディスプレイが３つ以上の場合も同様である。
【０００５】
本発明は、上記課題に鑑みてなされたものであり、表示対象を複数の表示部に跨がって表示させる場合に、簡単な操作でユーザにとって見易く表示することが可能な情報処理装置、その表示方法、及びコンピュータが実行可能なプログラムを提供することを目的とする。
【課題を解決するための手段】
【０００６】
上述した課題を解決し、目的を達成するために、本発明は、第１の表示部及び第２の表示部と、前記第１の表示部及び前記第２の表示部をお互いが拡張した表示領域を担うように表示の制御を行う制御手段と、前記第１の表示部及び前記第２の表示部の少なくとも一方に表示されている画面全体の表示をずらす指示を検出する操作検出手段と、を備え、
前記制御手段は、前記操作検出手段が前記指示を検出した場合に、前記第１の表示部及び前記第２の表示部の少なくとも一方の画面全体の表示をずらす制御を行うことを特徴とする。
【０００７】
また、本発明の好ましい態様によれば、前記制御手段は、前記操作検出手段が前記指示を検出した場合には、前記第１の表示部及び前記第２の表示部の両方の画面全体の表示をずらすことが望ましい。
【０００８】
また、本発明の好ましい態様によれば、前記制御手段は、前記操作検出手段が前記指示を検出した場合には、前記第１の表示部及び前記第２の表示部の一方の画面全体の表示をずらし、前記第１表示部と前記第２表示部間で分断して表示される情報がある場合は、当該分断して表示される情報の全体を、前記ずらす側の画面に表示することが望ましい。
【０００９】
また、本発明の好ましい態様によれば、前記第１の表示部及び前記第２の表示部のうちの少なくとも一方は、タッチパネル表示部で構成されており、前記指示は、前記第１の表示部及び前記第２の表示部の少なくとも一方に対する１本又は複数本の指によるスライド操作であり、前記画面全体の表示をずらす方向は、前記スライド操作の方向であり、前記画面全体をずらす量は、前記スライド操作の操作に応じた量であることが望ましい。
【００１０】
また、本発明の好ましい態様によれば、前記制御手段は、前記スライド操作で前記指が前記第１の表示部及び前記第２の表示部の一方に接触している状態では、前記画面全体の表示をずらした状態を維持し、前記指が前記第１の表示部及び前記第２の表示部の一方から離れた場合には、前記画面全体の表示をずらす前の画面表示に戻すことが望ましい。
【００１１】
また、本発明の好ましい態様によれば、さらに、  前記第１の表示部を収納する第１の筐体と、前記第２の表示部を収納する第２の筐体と、前記第１の筐体と前記第２の筐体を回転可能に連結するヒンジと、を備えることが望ましい。
【００１２】
また、上述した課題を解決し、目的を達成するために、本発明は、第１の表示部及び第２の表示部をお互いが拡張した表示領域を担うように表示の制御を行う制御工程と、前記第１の表示部及び前記第２の表示部の少なくとも一方に表示されている画面全体の表示をずらす指示を検出する操作検出工程と、を含み、前記制御工程では、前記操作検出工程で前記指示を検出した場合に、前記第１の表示部及び前記第２の表示部の少なくとも一方の画面全体の表示をずらす制御を行うことを特徴とする。
【００１３】
また、上述した課題を解決し、目的を達成するために、本発明は、情報処理装置に搭載されるプログラムであって、第１の表示部及び第２の表示部をお互いが拡張した表示領域を担うように表示の制御を行う制御工程と、前記第１の表示部及び前記第２の表示部の少なくとも一方に表示されている画面全体の表示をずらす指示を検出する操作検出工程と、をコンピュータに実行させ、前記制御工程では、前記操作検出工程で前記指示を検出した場合に、前記第１の表示部及び前記第２の表示部の少なくとも一方の画面全体の表示をずらす制御を行うことを特徴とする。
【発明の効果】
【００１４】
本発明によれば、表示対象を複数の表示部に跨がって表示させる場合に、簡単な操作でユーザにとって見易く表示することが可能な情報処理装置を提供することが可能になるという効果を奏する。
【図面の簡単な説明】
【００１５】
【図１】図１は、本実施の形態に係る情報処理装置の概念図を示す図である。
【図２】図２は、本実施の形態に係る携帯型端末装置の外観構成を示す模式的な斜視図である。
【図３】図３は、本実施例に係る携帯型端末装置の概略のハードウェア構成例を示す図である。
【図４】図４は、制御部により実行される１画面表示制御の実施例１を説明するための表示例を示す図である。
【図５】図５は、制御部により実行される１画面表示制御の実施例１を説明するための表示例を示す図である。
【図６】図６は、制御部により実行される１画面表示制御の実施例２を説明するための表示例を示す図である。
【図７】図７は、制御部により実行される１画面表示制御の実施例２の別な例を説明するための表示例を示す図である。
【発明を実施するための形態】
【００１６】
以下、本実施の形態に係る情報処理装置、その表示方法、及びコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００１７】
図１は、本実施の形態に係る情報処理装置の概念図を示す図である。本実施の形態に係る情報処理装置は、例えば、スマートフォン端末、携帯電話端末、タブレット端末、ノートＰＣ、ゲーム機等の各種情報処理装置である。図１に示す例では、画面の表示方向は横方向となっており、表示情報として天気予報が表示されている。
【００１８】
図１に示すように、情報処理装置１は、第１の表示部２及び第２の表示部３と、操作を検出するための操作検出手段４と、第１の表示部２及び第２の表示部３を、お互いが拡張した表示領域を担うように表示の制御（以下、「１画面として表示の制御」ともいう）を行う制御手段５と、を備えている。操作検出手段４及び制御手段５は、ソフトウェア及び／又はハードウェアで構成することができる。コンピュータがプログラムを実行することにより、操作検出手段４及び制御手段５の機能を実現することにしてもよい。
【００１９】
制御手段５は、操作検出手段４が第１の表示部２及び第２の表示部３の少なくとも一方に表示されている画面全体の表示をずらす指示（以下「所定の操作」という）を検出した場合に、第１の表示部２及び第２の表示部３の少なくとも一方の画面全体の表示をずらす制御を行う。また、制御手段５は、操作検出手段４が所定の操作を検出した場合には、第１の表示部２及び第２の表示部３の両方の画面全体の表示をずらすことにしてもよい（図４及び図５参照）。図１に示す例では、第１の表示部２及び第２の表示部３の両画面全体の表示をずらして、第１の表示部２及び第２の表示部３の画面として表示されている表示情報のセンター位置Ｃ１及びＣ２を右側にずらした場合を示している。
【００２０】
また、制御手段５は、操作検出手段４が所定の操作を検出した場合に、第１の表示部２１及び第２の表示部３のうちの一方の画面全体の表示だけをずらすようにしてもよい（図６及び図７参照）。
【００２１】
また、制御手段５は、操作検出手段４が所定の操作を検出した場合には、第１の表示部２及び第２の表示部３の一方の画面全体の表示をずらし、第１の表示部２と第２の表示部３間で分断して表示される情報、すなわち１つの文字や図等が分断されている場合は、当該分断して表示される情報（文字や図形）の全体を、画面全体の表示をずらす側の画面に表示することにしてもよい。
【００２２】
操作検出手段４が所定の操作としては、キーボードやポインティングデバイスに対する所定の操作や、音声入力操作等が適用できる。また、第１の表示部２及び第２の表示部３の少なくとも一方を、タッチパネル表示部で構成してもよい。この場合、上述の所定の操作は、第１の表示部２及び第２の表示部３の一方に対する指によるスライド操作であり、画面全体の表示をずらす方向は、スライド操作の方向であり、画面全体をずらす量は、スライド操作の操作に応じた量であることにしてもよい。所定の操作を１本の指によるスライド操作としてもよいが、複数の指によるスライド操作とすれば、他の機能を実現するスライド操作と所定の操作を区別できる。また、所定の操作としてのスライド操作を、ユーザが第１の表示部２または第２の表示部３の１点で所定の時間タッチした後に、そこからスライド操作する一連の操作としてもよい。このような操作を所定の操作とすることで、他の機能を実現するスライド操作と所定の操作を区別できる。さらに、上記一連の操作においては、ユーザが第１の表示部２または第２の表示部３の１点で所定の時間タッチしたときに、画面の表示を拡大する、色を変える等の強調表示をしたり、上記一連の操作中である旨を示すアイコンを表示したりして、ユーザが上記一連の操作中であることを認識しやすいようにすることもできる。
【００２３】
図１に示す例は、ユーザが、所定の操作として、第２の表示部３に対して１本の指でスライド操作を行い、制御手段５が、スライド操作の方向（右方向）に、スライド操作の量だけ、第１の表示部２及び第２の表示部３の両画面全体の表示を右方向にずらして、各画面の表示情報のセンター位置Ｃ１及びＣ２を右側にずらした場合を示している。
【００２４】
また、制御手段５は、スライド操作で指が第１の表示部２及び第２の表示部３の一方に接触している状態では、画面全体の表示をずらした状態を維持し、指が第１の表示部２及び第２の表示部３の一方から離れた場合には、画面全体の表示をずらす前の画面表示に戻すことにしてもよい。
【００２５】
また、情報処理装置１は、第１の表示部２を収納する第１の筐体と、第２の表示部３を収納する第２の筐体と、第１の筐体と第２の筐体を回転可能に連結するヒンジ機構と、を備えた構成としてもよい。また、ヒンジ機構の代わりに、第１の筐体と第２の筐体を相対的にスライドさせるスライド機構を搭載してもよい。また、コンピューティングデバイスの表示デバイスと、外付けの表示デバイスとを使用して、１画面として表示の制御を行うことにしてもよい。この場合、所定の操作は、キーボード、ポインティングデバイス、又は音声による操作としてもよい。
【００２６】
以上説明したように、本実施の形態によれば、第１の表示部２及び第２の表示部３と、
操作を検出するための操作検出手段４と、第１の表示部２及び第２の表示部３を、お互いが拡張した表示領域を担うように表示の制御を行う制御手段５と、を備え、制御手段５は、操作検出手段４が第１の表示部２及び第２の表示部３の少なくとも一方に表示されている画面全体の表示をずらす指示を検出した場合に、第１の表示部２及び第２の表示部３の少なくとも一方の画面全体の表示をずらす制御を行うこととしたので、表示対象を複数の表示部に跨がって表示させる場合に、簡単な操作でユーザにとって見易く表示することが可能となる。
【００２７】
付言すると、第１の表示部２及び第２の表示部３で１画面として表示する場合に、ユーザは画面全体の表示をずらずことで、画面上の表示情報の表示位置を変更することができ、例えば、第１の表示部２と第２の表示部３間で情報が分断されて表示されている場合でもユーザが画面全体の表示をずらすことで、分断されている情報全体を一方の画面で確認することが可能となり、ユーザにとって見易い表示とすることができる。
【００２８】
（実施例）
本実施の形態に係る情報処理装置を、２画面型の携帯型端末装置に適用した場合を一例として説明する。図２は、本実例に係る携帯型端末装置の外観構成を示す模式的な斜視図である。
【００２９】
図２に示すように、本実施例に係る携帯型端末装置９は、第１の筐体１０と、第２の筐体２０とを備えている。また、携帯型端末装置９は、第１の筐体１０と第２の筐体２０との間にヒンジ（連結部）３０を備えている。
【００３０】
第１の筐体１０は、略矩形を呈し、第１の表示部１１Ｂと第１の表示部１１Ｂ上に配置された第１のタッチパネル１１Ａとで構成される第１のタッチ表示部１１が配置されている。また、第１の筐体１０の内部には、第１の筐体１０（タッチ表示部１１）に対して、その長手方向に平行なＹ１方向、その短手方向に平行なＸ１方向、Ｘ１及びＹ１方向に垂直なＺ１方向の加速度を検出する第１の加速度センサ１７が配置されている。
【００３１】
第２の筐体２０は、略矩形を呈し、第２の表示部２１Ｂと第２の表示部２１Ｂ上に配置された第２のタッチパネル２１Ａとで構成される第２のタッチ表示部２１が配置されている。また、第２の筐体２０の内部には、第２の筐体２０（タッチ表示部２１）に対して、その長手方向に平行なＹ２方向、その短手方向に平行なＸ２方向、Ｘ２及びＹ２方向に垂直なＺ２方向の加速度を検出する。  
【００３２】
ヒンジ３０は、第１の筐体１０と第２の筐体２０とを回転可能に連結する。回転軸δに対する第１の筐体１０と第２の筐体２０との角度（第２の筐体２０に対する第１の筐体１０の角度）を「θ」と規定する。より詳細には、ヒンジ３０は、第１の筐体１０と第２の筐体２０とを回転軸δを中心に実質的に３６０度回転可能に連結する。携帯型端末装置９は、ヒンジ３０により各種状態を取ることが可能となっている。角度θ＝０度をクローズ（Ｃｌｏｓｅ）状態、０度＜θ＜１８０度をクラムシェル（Ｃｌａｍｓｈｅｌｌ）状態、角度θ＝３６０度をタブレット（Ｔａｂｌｅｔ）状態、１８０度＜θ＜３６０度をテント（Ｔｅｎｔ）状態、角度θ＝３６０度をベーシック状態（Ｃｌｏｓｅ）状態と称する。携帯型端末装置９では、第１の加速度センサ１７及び第２の加速度センサ２７の検出結果に基づいて、携帯型端末装置９の上述の各種状態を検出可能となっている。
【００３３】
図３は、本実施例に係る携帯型端末装置９の概略のハードウェア構成例を示す図である。図３に示すように、携帯型端末装置９は、第１のタッチ表示部１１と、第２のタッチ表示部２１と、制御部１００と、メモリ１０１と、ストレージ１０２と、第１の加速度センサ１７と、第２の加速度センサ２７と、カメラ２２，通信部１０３と、電源部１０４と、を備えている。
【００３４】
第１のタッチ表示部１１は、第１の表示部１１Ｂと、第１の表示部１１Ｂに重畳された第１のタッチパネル１１Ａとを有する。第１のタッチパネル１１Ａは、例えば、静電容量式のマルチタッチパネルで構成されており、指やペン等の指示体を用いて第１のタッチパネル１１Ａに対して行われた各種操作を、操作が行われた場所の第１のタッチパネル１１Ａ上での位置とともに検出し、制御部１００に通知する。第１のタッチパネル１１Ａによって検出される操作には、タッチ操作、タップ操作、スライド操作、ピッチ操作、スワイプ操作等が含まれる。第１の表示部１１Ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。
【００３５】
第２のタッチ表示部２１は、第２の表示部２１Ｂと、第２の表示部２１Ｂに重畳された第２のタッチパネル２１Ａとを有する。第２のタッチパネル２１Ａは、例えば、静電容量式のマルチタッチパネルで構成されており、指やペン等の指示体を用いて第２のタッチパネル２１Ａに対して行われた各種操作を、操作が行われた場所の第２のタッチパネル２１Ａ上での位置とともに検出し、制御部１００に通知する。第２のタッチパネル２１Ａによって検出される操作には、タッチ操作、タップ操作、スライド操作、ピッチ操作、スワイプ操作等が含まれる。第２の表示部２１Ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。  
【００３６】
通信部１０３は、制御部１００の制御に従って、外部と無線／有線でデータ通信するためのデバイスである。電源部１０４は、制御部１００の制御に従って、蓄電池又はＡＣアダプタから得られる電力を、制御部１００を含む携帯型端末装置９の各部へ供給する。カメラ２２は、被写体を撮像して撮像した画像データを制御部１００に出力する。
【００３７】
第１の加速度センサ１７は、第１のタッチ表示部１１に対して、その長手方向に平行なＹ１方向、その短手方向に平行なＸ１方向、Ｘ１及びＹ１方向に垂直なＺ１方向の加速度を検出し、Ｘ１Ｙ１Ｚ１方向の加速度値Ａｘ１（ｔ）、Ａｙ１（ｔ）、Ａｚ１（ｔ）を、制御部１００に出力する。
【００３８】
第２の加速度センサ２７は、第２のタッチ表示部２１に対して、その長手方向に平行なＹ２方向、その短手方向に平行なＸ２方向、Ｘ２及びＹ２方向に垂直なＺ２方向の加速度を検出し、Ｘ２Ｙ２Ｚ２方向の加速度値Ａｘ２（ｔ）、Ａｙ２（ｔ）、Ａｚ２（ｔ）を、制御部１００に出力する。
【００３９】
メモリ１０１は、例えば、ＲＡＭやＤＲＡＭ等で構成されており、制御部１００によって実行されるプログラム、制御部１００が参照するデータ、制御部１００の演算結果等が一時的に記憶されるワークエリアとして使用される。
【００４０】
ストレージ１０２は、制御部１００によって実行されるプログラムやデータを保持するコンピュータで読み取り可能な記憶媒体であり、例えば、ＥＥＰＲＯＭ、ＳＳＤ、及びハードディスク等の不揮発性メモリである。ストレージ１０２は、例えば、Ｗｉｎｄｏｗｓ（登録商標）、ＭａｃＯＳ（登録商標）、ｉＯＳ（登録商標）、Ａｎｄｒｏｉｄ（登録商標）等の携帯型端末装置９全体の制御を行うためのＯＳと、周辺機器類をハードウェア操作するための各種デバイスドライバと、メールアプリ、ブラウザアプリ、電子書籍閲覧用アプリ等の各種アプリを記憶する機能を有する。各種デバイスドライバ及び各種アプリ間のデータの転送には全てＯＳが介在する。
【００４１】
制御部１００は、例えば、ＣＰＵ（Central  Processing  Unit）、マイクロプロセッサ、ＤＳＰ等であり、携帯型端末装置９の動作を統括的に制御して各種の機能を実現する。具体的には、制御部１００は、ストレージ１０２に記憶されているデータやメモリ１０１に展開したデータを必要に応じて参照しつつ、ストレージ１０２に記憶されているプログラムに含まれる命令を実行して、入力機能、メール機能、Ｗｅｂブラウジング機能、及び表示機能等の各種機能を実現する。
【００４２】
また、制御部１００は、第１の加速度センサ１７で検出されるＸ１Ｙ１Ｚ１方向の加速度値Ａｘ１（ｔ）、Ａｙ１（ｔ）、Ａｚ１（ｔ）及び第２の加速度センサ２７で検出されるＸ２Ｙ２Ｚ２方向の加速度値Ａｘ２（ｔ）、Ａｙ２（ｔ）、Ａｚ２（ｔ）に基づいて、携帯型端末装置９の上述の各種状態及び第１のタッチ表示部１１及び第２のタッチ表示部２１の画面の向きを検出する。制御部１００は、検出した第１のタッチ表示部１１及び第２のタッチ表示部２１の画面の向きに応じて、画面の表示方向を回転させ、横方向表示（第１のタッチ表示部１１及び第２のタッチ表示部２１の短手方向を上方向して表示）表示又は縦方向表示（第１のタッチ表示部１１又は第２のタッチ表示部１２の長手方向を上方向として表示）を行う。
【００４３】
また、制御部１００は、第１のタッチ表示部１１及び第２のタッチ表示部２１を１画面として表示の制御（以下、「１画面表示制御」と称する）を行う。制御部１００は、１画面表示制御において、第１のタッチ表示部１１及び第２のタッチ表示部１２の少なくとも一方の画面全体をずらすことにしてもよい。以下の例では、携帯型端末装置９がタブレット状態の場合において、横方向表示を行う場合を例示して説明する。
【００４４】
（実施例１）
図４及び図５を参照して、制御部１００により実行される１画面表示制御の実施例１について説明する。制御部１００は、第１のタッチ表示部１１及び第２のタッチ表示部２１で所定の操作を検出した場合には、第１の表示部１１及び第２の表示部２１の両画面全体の表示をずらすことにしてもよい。
【００４５】
所定の操作は、例えば、第１のタッチ表示部１１及び第２のタッチ表示部２１の一方に対する１本又は複数本の指によるスライド操作であり、制御部１００は、第１のタッチ表示部１１及び第２のタッチ表示部２１の一方に対するスライド操作を検出した場合には、第１のタッチ表示部１１及び第２の表示部２１の両画面全体の表示をスライド操作の方向に、かつ、スライド操作の操作量に応じた量だけずらすことにしてもよい。以下の表示例では、１本の指でスライド操作する場合を例示して説明する。
【００４６】
また、制御部１００は、スライド操作で指が第１のタッチ表示部１１及び第２の表示部２１の一方に接触している状態では、両画面全体の表示をずらした維持し、当該接触している指が第１の表示部１１又は第２の表示部２１から離れた場合には、両画面全体の表示をずらす前の画面表示に戻すことにしてもよい。
【００４７】
図４は、１画面表示制御されている２つの画面全体の表示を右方向にずらす表示例を示す図である。図４の表示例２０１に示すように、第１のタッチ表示部１１及び第２のタッチ表示部２１には、１画面として天気予報が表示されている。ここで、「（月）、傘、雲の画像」が第１のタッチ表示部１１及び第２のタッチ表示部２１に跨って分断されて表示されている。
【００４８】
ここで、表示例２０２に示すように、ユーザが、第２のタッチ表示部２１を指により右方向にスライド操作すると、制御部１００は、第１のタッチ表示部１１及び第２の表示部２１の両画面全体の表示をスライド操作の方向である右方向に、かつ、スライド操作の操作量に応じた量だけずらす。ユーザは、例えば、分断されている情報「（月）、傘、雲の画像」が見にくい場合は、第２のタッチ表示部２１を指により右方向に少しスライド操作すると、分断されている情報の全体「（月）、傘、雲の画像の全体」を第２の表示部２１で確認することができる。
【００４９】
制御部１００は、スライド操作で指が第２のタッチ表示部２１に接触している状態では、両画面全体の表示をずらした状態を維持する。そして、ユーザが第２のタッチ表示部２１から指を離すと、制御部１００は、両画面全体の表示をずらす前の画面表示（表示例２０１）に戻す。
【００５０】
なお、ここでは、第２のタッチ表示部２１を右方向にスライド操作した場合に、第１のタッチ表示部１１及び第２のタッチ表示部２１の両画面全体の表示を右方向にずらすこととしたが、第１のタッチ表示部１１を右方向にスライド操作した場合に、第１のタッチ表示部１１及び第２のタッチ表示部２１の両画面全体の表示を右方向にずらすことにしてもよい。
【００５１】
図５は、１画面表示されている２つの画面全体の表示を左方向にずらす表示例を示す図である。図５の表示例２０３において、表示されている情報は図５の表示例２０１と同様である。表示例２０４に示すように、ユーザが、第１のタッチ表示部１１を指により左方向にスライド操作すると、制御部１００は、第１のタッチ表示部１１及び第２の表示部２１の両画面全体の表示をスライド操作の方向である左方向に、かつ、スライド操作の操作量に応じた量だけずらす。制御部１００は、スライド操作で指が第１のタッチ表示部１１に接触している状態では、両画面全体の表示をずらした状態を維持する。そして、ユーザが第１のタッチ表示部１１から指を離すと、制御部１００は、両画面全体の表示をずらす前の画面表示（表示例２０３）に戻す。
【００５２】
なお、ここでは、第１のタッチ表示部１１を左方向にスライド操作した場合に、第１のタッチ表示部１１及び第２のタッチ表示部２１の両画面全体の表示を左方向にずらすこととしたが、第２のタッチ表示部２１を左方向にスライド操作した場合に、第１のタッチ表示部１１及び第２のタッチ表示部２１の両画面全体の表示を右方向にずらすことにしてもよい。
【００５３】
実施例１では、所定の操作を検出した場合に、第１のタッチ表示部１１及び第２のタッチ表示部２１の両画面全体の表示をずらしているので、両画面の表示情報のセンター位置をずらしたい場合に有効である。
【００５４】
（実施例２）
図６を参照して、制御部１００により実行される１画面表示制御の実施例２について説明する。制御部１００は、第１のタッチ表示部１１及び第２のタッチ表示部２１で所定の操作を検出した場合には、第１のタッチ表示部１１と第２のタッチ表示部２１間で分断して表示される情報を検出し、第１のタッチ表示部１１及び第２のタッチ表示部２１の一方の画面全体の表示をずらすと共に、分断されている情報を検出した場合には、当該分断して表示される情報全体を、ずらす側の画面に表示することにしてもよい。制御部１００は、分断されている情報がない場合には、一方の画面全体の表示をずらす処理のみを行うことにしてもよい。
【００５５】
所定の操作は、例えば、第１のタッチ表示部１１及び第２のタッチ表示部２１の一方に対する指によるスライド操作であり、制御部１００は、第１のタッチ表示部１１及び第２のタッチ表示部２１の一方に対するスライド操作を検出した場合には、スライド操作されたタッチ表示部の画面全体の表示をスライド操作の方向に、かつ、スライド操作の操作量に応じた量だけずらすことにしてもよい。
【００５６】
また、制御部１００は、スライド操作で指が一方のタッチ表示部に接触している状態では、画面全体の表示をずらした状態を維持し、当該接触している指がタッチ表示部から離れた場合には、画面全体の表示をずらす前の画面表示に戻すことにしてもよい。
【００５７】
図６は、１画面表示されている２つの画面の一方の画面全体の表示をずらす表示例を示す図である。図６の表示例２０５に示すように、第１のタッチ表示部１１及び第２のタッチ表示部２１には、１画面として天気予報が表示されている。ここで、「（月）、傘、雲の画像」が第１のタッチ表示部１１及び第２のタッチ表示部２１に跨って分断されて表示されている。
【００５８】
ここで、表示例２０６に示すように、ユーザが、第２のタッチ表示部２１を指により右方向にスライド操作すると、制御部１００は、第１のタッチ表示部１１と第２のタッチ表示部２１間で分断して表示される情報があるか否かを判断し、分断されている情報「（月）、傘、雲の画像」を検出する。制御部１００は、第２のタッチ表示部２１の画面全体の表示をスライド操作の方向である右方向にスライド操作の操作量に応じた量だけずらすと共に、第１のタッチ表示部１１に分断されて表示されている情報「（月）、傘、雲の画像の一部」を第１のタッチ表示部１１から削除し、第２のタッチ表示部２１の画面全体の表示をずらすことで第２のタッチ表示部２１に移動させて、分断されていた情報全体「（月）、傘、雲の画像の全体」を第２のタッチ表示部２１に表示する。これにより、ユーザは、分断されている情報「（月）、傘、雲の画像」の全体を第２の表示部２１で確認することができる。
【００５９】
制御部１００は、スライド操作で指が第２のタッチ表示部２１に接触している状態では、画面全体の表示をずらした状態を維持する。そして、ユーザが第２のタッチ表示部２１から指を離すと、制御部１００は、画面全体の表示をずらす前の画面表示に戻す（表示例２０５）。
【００６０】
なお、第１のタッチ表示部１１を左方向にスライド操作した場合には、第１のタッチ表示部１１の画面全体の表示をずらすと共に、分断されている情報を第１のタッチ表示部１１に表示してもよい。
【００６１】
実施例２は、所定の操作を検出した場合に、第１のタッチ表示部１１及び第２のタッチ表示部２１の一方の画面全体の表示をずらすこととしたので、一方の画面の表示情報のセンター位置をずらしたい場合に有効である。
【００６２】
図７は、制御部１００により実行される１画面表示制御の実施例２の別な例を説明するための表示例を示す図である。上記図６に示す例では、一方のタッチ表示部の画面に分断されて表示されている情報を第１のタッチ表示部１１から削除して、他方（ずらす側）のタッチ表示部の画面に移動させて分断されていた情報全体を表示する例を示したが、図７の例では、一方のタッチ表示部の画面表示をそのままにして、他方（ずらす側）のタッチ表示部のみの画面全体をずらして、他方（ずらす側）のタッチ表示部では分断されていた情報全体が表示される。
【００６３】
図７の表示例２０７において、表示されている情報は図６の表示例２０５と同様である。表示例２０８に示すように、ユーザが、第１のタッチ表示部１１を指により右方向にスライド操作すると、制御部１００は、第２のタッチ表示部２１の画面全体の表示をスライド操作の方向である右方向にスライド操作の操作量に応じた量だけずらし、分断されていた情報全体「（月）、傘、雲の画像の全体」を第２のタッチ表示部２１に表示する。このとき、制御部１００は、第１のタッチ表示部１１の画面表示を維持し、第１のタッチ表示部１１に分断されて表示されている情報「（月）、傘、雲の画像の一部」はそのまま第１のタッチ表示部１１に表示される。
【００６４】
制御部１００は、スライド操作で指が第２のタッチ表示部２１に接触している状態では、画面全体の表示をずらした状態を維持する。そして、ユーザが第２のタッチ表示部２１から指を離すと、制御部１００は、画面全体の表示をずらす前の画面表示に戻す（表示例２０７）。
【００６５】
実施例２の別な例は、一方のタッチ表示部の画面表示を維持しつつ、他方のタッチ表示部で分断している情報全体を確認する場合に有効である。
【００６６】
上記実施例１及び２において、上述した所定の操作は、上述したものに限られるものではなく、他の操作としてもよい。例えば、制御部１００は、一方のタッチ表示部が指でマルチタップされた場合に、表示情報を浮いているように表示（浮遊表示）し、次に、当該一方のタッチ表示部に対して１本又は複数本の指でスライド操作が行われた場合に画面全体の表示をずらし、指を当該一方のタッチ表示部から離した場合に元の表示に戻すことにしてもよい。
【００６７】
上記実施の形態並びに実施例１及び２では、横方向に１画面表示する例を説明したが、
縦方向に１画面表示する場合にも本発明は適用可能である。
【符号の説明】
【００６８】
１  情報処理装置
２  第１の表示部
３  第２の表示部
４  操作検出手段
５  制御手段
９  携帯型端末装置
１０  第１の筐体
２０  第２の筐体
３０  ヒンジ（連結部）
１１  第１のタッチ表示部
１１Ａ  第１のタッチパネル
１１Ｂ  第１の表示部
１７  第１の加速度センサ
２１  第２のタッチ表示部
２１Ａ  第２のタッチパネル
２１Ｂ  第２の表示部
２２  カメラ
２７  第１の加速度センサ
１００  制御部
１０１  メモリ
１０２  ストレージ
１０３  通信部
１０４  電源部
【図１】
2017058972.tif 000003
【図２】
2017058972.tif 000004
【図３】
2017058972.tif 000005
【図４】
2017058972.tif 000006
【図５】
2017058972.tif 000007
【図６】
2017058972.tif 000008
【図７】
2017058972.tif 000009